(57)【要約】【課題】釣竿に設けた挿通孔を介して挿通した電動リールのコードが挿通孔を介して動かし易く、コードをリールやバッテリに接続する際に容易に行うことができる釣竿用ハンドル及び釣竿を提供すること。【解決手段】釣竿用ハンドル１４は、コード６０が接続された電動リール３０を着脱可能であるとともに、先端側に竿部１２が取り付けられて用いられる。そして、前記ハンドルには前記ハンドルの内部と外部とを連通するとともに前記コードを挿通する挿通孔７４ａが設けられるとともに、前記挿通孔が前記ハンドルの中心軸Ｃに直交する方向よりもハンドル１４の先端側を向いて形成されている。【選択図】    図２
2010029176.tif 000002
【特許請求の範囲】
【請求項１】
コードが接続された電動リールを着脱可能であるとともに、先端側に竿部が取り付けられて用いられる釣竿用ハンドルであって、
前記ハンドルに前記ハンドルの内部と外部とを連通するとともに前記コードを挿通する挿通孔を設けるとともに、
前記挿通孔が前記ハンドルの中心軸に直交する方向よりも前記ハンドルの先端側を向いて形成されていることを特徴とする釣竿用ハンドル。
【請求項２】
前記ハンドルの前記挿通孔は、前記ハンドルの外側に突出する突部のハンドルの先端側に形成されていることを特徴とする請求項１に記載の釣竿用ハンドル。
【請求項３】
前記突部は、その内側に前記ハンドルの後端側に向かうにつれて前記ハンドルの前記中心軸に近接する傾斜面を有することを特徴とする請求項２に記載の釣竿用ハンドル。
【請求項４】
前記ハンドルの前記挿通孔は、前記ハンドルの外周面よりも内側にある凹部に形成されていることを特徴とする請求項１もしくは請求項２に記載の釣竿用ハンドル。
【請求項５】
前記ハンドルは、前記電動リールを取り付けるリール取付部を有し、
前記挿通孔は、前記リール取付部よりも後方側に配設されていることを特徴とする請求項１ないし請求項４のいずれか１に記載の釣竿用ハンドル。
【請求項６】
前記ハンドルは、前記電動リールを着脱可能な位置よりも後方側に、前記電動リールに前記コードを通して給電するバッテリを着脱自在に保持するバッテリ保持部を有することを特徴とする請求項１ないし請求項５のいずれか１に記載の釣竿用ハンドル。
【請求項７】
請求項１から請求項６のいずれか１に記載の釣竿用ハンドルの先端側に竿部を設けた釣竿。
【発明の詳細な説明】
【技術分野】
【０００１】
この発明は、電動リールとともに用いられることが好適な釣竿用ハンドル及び釣竿に関する。
【背景技術】
【０００２】
従来から魚釣用釣竿に電動リールを取り付けて魚釣りを行う場合、バッテリから電動リールに給電するためのコードを接続している。しかし、電動リールを取り付けて魚釣りを行う際には、給電用のコードを引きずってしまい、そのコードが邪魔になることがある。
【０００３】
例えば特許文献１には、釣竿に内蔵したバッテリに電動リールのコードを竿内に差し込んで繋ぐ構造が開示されている。また、特許文献２には、コードが魚釣りの邪魔にならないように一度釣竿内に差し込んで再び釣竿の基部（後端）近傍から外側に延出させてバッテリに繋ぐ釣具（釣竿）が開示されている。
【先行技術文献】
【特許文献】
【０００４】
【特許文献１】実開平２−９０７４号公報
【特許文献２】実開昭４８−６２９２号公報
【発明の概要】
【発明が解決しようとする課題】
【０００５】
特許文献１や特許文献２に開示された構造は、釣竿内にコードを差し入れるための挿通孔が小さく、また、その挿通孔は釣竿の長手方向に対して直交方向に開口されている。したがって、この挿通孔を介して挿通したコードが釣竿の内部で長手方向に急に折り曲げられることとなるため、挿通したコードを挿通孔を介して動かし難く、リールやバッテリへの接続が難しい。このため、コードをリールやバッテリに接続する際などにコードに大きな負荷をかけることがある。
【０００６】
この発明は、このような課題を解決するためになされたものであり、釣竿に設けた挿通孔に挿通した電動リールのコードを動かし易く、コードをリールやバッテリに接続する際に容易に行うことができる釣竿用ハンドル及び釣竿を提供することを目的とする。
【課題を解決するための手段】
【０００７】
上記課題を解決するために、この発明に係る、コードが接続された電動リールを着脱可能であるとともに、先端側に竿部が取り付けられて用いられる釣竿用ハンドルにおいては、前記ハンドルに前記ハンドルの内部と外部とを連通するとともに前記コードを挿通する挿通孔を設けるとともに、前記挿通孔が前記ハンドルの中心軸に直交する方向よりも前記ハンドルの先端側を向いて形成されていることを特徴とする。
【０００８】
前記ハンドルの前記挿通孔は、前記ハンドルの外側に突出する突部のハンドルの先端側に形成されていることが好ましい。  
前記突部は、その内側に前記ハンドルの後端側に向かうにつれて前記ハンドルの前記中心軸に近接する傾斜面を有することが好ましい。  
前記ハンドルの前記挿通孔は、前記ハンドルの外周面よりも内側にある凹部に形成されていることが好ましい。  
前記ハンドルは、前記電動リールを取り付けるリール取付部を有し、前記挿通孔は、前記リール取付部よりも後方側に配設されていることが好ましい。  
前記ハンドルは、前記電動リールを着脱可能な位置よりも後方側に、前記電動リールに前記コードを通して給電するバッテリを着脱自在に保持するバッテリ保持部を有することが好ましい。
【発明の効果】
【０００９】
この発明では、釣竿のハンドルに、ハンドルの中心軸に直交する方向よりもハンドルの先端側を向いて形成されている挿通孔を設けた。このため、その挿通孔は、コードをハンドル内に出し入れ（挿脱）する際に、ハンドルの中心軸に直交する方向に対してできるだけ平行な状態に近づけた状態でコードを挿脱することができる。このため、ハンドルの挿通孔に対してコードを容易に動かすことができ、ハンドルに対して挿脱する際にコードに掛ける負担を軽減することができる。そして、コードをハンドルの挿通孔に対して挿脱可能に配置した状態で、容易に電動リールやバッテリにコードの端部を装着することができる。
【００１０】
釣竿のハンドルに挿通孔を有する突部を設けることによって、釣りの際にハンドルの突部に指を掛けて使用することができる。このため、ハンドルを握持し易い。
【００１１】
また、ハンドルに挿通孔を有する凹部を設けることによって、挿通孔に挿通したコードをハンドルの中心軸に直交する方向に対してこれより平行な状態に近づけた状態で配置することができる。
【００１２】
釣竿のハンドルの挿通孔をリール取付部よりも後方に設けることによって、リール取付部の握持が規制されずに電動リールを支えながら釣竿をしっかりと持つことができる。
【図面の簡単な説明】
【００１３】
【図１】第１から第４の実施の形態に係る釣竿を示す概略図。
【図２】第１の実施の形態に係る釣竿のハンドルの後端にバッテリを装着した状態を示す概略的な縦断面図。
【図３】第１の実施の形態に係る釣竿のハンドルの後端からバッテリを取り外した状態を示す概略的な縦断面図。
【図４】（Ａ）は第１の実施の形態に係る釣竿のハンドルの突部の開口にキャップを装着した状態を示す概略的な縦断面図、（Ｂ）はキャップを示す概略的な斜視図。
【図５】第２の実施の形態に係る釣竿のハンドルの後端にバッテリを装着した状態を示す概略的な縦断面図。
【図６】第３の実施の形態に係る釣竿のハンドルの後端にバッテリを装着した状態を示す概略的な縦断面図。
【図７】第３の実施の形態に係る釣竿のハンドルの後端にバッテリを装着した状態を示す概略図。
【図８】第４の実施の形態に係る釣竿のハンドルの後端にバッテリを装着した状態を示す概略的な縦断面図。
【図９】第５の実施の形態に係る釣竿を示す概略図。
【図１０】第５の実施の形態に係る釣竿のハンドルの後端にバッテリを装着した状態を示す概略的な縦断面図。
【図１１】第６の実施の形態に係る釣竿のハンドルの後端にバッテリを装着した状態を示す概略図。
【発明を実施するための形態】
【００１４】
以下、図面を参照しながらこの発明を実施するための形態（以下、実施の形態という）について説明する。
【００１５】
第１の実施の形態について図１ないし図４を用いて説明する。  
図１に示すように、この実施の形態の釣竿１０は、竿部１２と、この竿部１２の後端に配設され釣り人が把持するハンドル１４とを備えている。図２及び図３に示す竿部１２の後端の嵌合突起１３ａは、ハンドル１４の後述する芯部材１４ｄの先端の嵌合孔１３ｂに差し込まれて取り付けられている。なお、竿部１２の後端の嵌合突起１３ａはハンドル１４の先端の嵌合孔１３ｂに対して固定（固着）または着脱可能に取り付けられる。
【００１６】
竿部１２は、例えば繊維強化樹脂材製の竿桿２２と、竿桿２２に配設された釣糸用ガイド２４とを備えている。なお、本実施形態の釣竿１０の竿部１２は、中通し竿として形成されていることも好適である。また、竿桿２２は、中空構造に限らず、中実構造であっても良い。
【００１７】
図２及び図３に示す魚釣用電動リール３０は、リール本体３２の両側に配置した１対の側板３４間に、図示しないスプール軸を介してスプールが回転可能に支持されている。この側板３４で支えられたハンドル軸（図示しない）を介して、このリール３０のハンドル３４ａ（図７及び図１０参照）の回転をリール本体３２内に配置された駆動機構に伝達することができる。
【００１８】
通常と同様に、このスプールは、一方の側板３４に設けたハンドル３４ａを介する手動操作で形成される駆動力により、リール本体３２内に配置された公知の駆動機構を介して回転され、あるいは、リール本体３２のスプール前方の側板３４間にモータケースを介して収容された公知のスプール駆動モータにバッテリ４０から給電する電動操作で形成される駆動力により、動力伝達機構を介して回転され、このスプール上に釣糸が巻回される。
【００１９】
電動操作による駆動力で釣糸を巻き取る際は、リール本体３２に通常と同様に取り付けられたスプール駆動モータのモータ出力調節用操作部を操作することにより、リール本体３２に内蔵のマイクロコンピュータを通じてスプール駆動モータの出力を自由に制御（モータ出力の停止や出力の増減調節）することができる。また、この操作部の操作により、マイクロコンピュータを通じて、スプール駆動モータの停止位置から高出力値までスプール駆動モータの出力を調節し、スプールの回転速度、つまり、釣糸の巻き取り速度を制御することができる。
【００２０】
このリール本体３２の上面の前方部位には、通常の電動リールと同様に、制御部３２ａを配置してあり、例えば、釣糸の繰出し量（糸長）、棚位置等の種々の制御機能、制御条件等を表示する液晶表示部を配置し、更に、棚位置を設定する棚取りボタン、糸長計測値の値をゼロにリセットするリセットボタン、および、押し込んでいるときにのみスプール駆動モータを駆動させ、解放したときに停止して微妙な巻上操作を可能とする寸動ボタン等の種々のボタンあるいはスイッチ類を配置してある。
【００２１】
通常と同様に、リール本体３２には、クラッチ機構（図示しない）も設けられており、このクラッチ機構を通じて、スプール軸に駆動連結するスプール駆動モータあるいはハンドルで形成される駆動力を、スプールに伝達し或いはスプールから遮断することができる。クラッチ機構がスプール軸をスプール駆動モータおよびハンドルから分離した状態（スプールフリー状態）で、ハンドルを回転させると、図示しない復帰機構を介して、スプール軸が元の状態（巻取状態）に復帰する。これにより、スプール軸と一体化されているスプールを、スプール駆動モータあるいはハンドルが形成する駆動力で回転することができる。符号３６は、スプールフリー状態におけるスプールの回転に適度な制動力を掛けて過回転を防止する調節ネジを示す。
【００２２】
更に、リール本体３２の下部前方の、ハンドルから離隔した側の側板３４の下部で、リール本体３２を保持した手と干渉しない位置に、給電部３８を下方に向けて配置してある（図７参照）。給電部３８は、後述する取付脚部３０ａやリール取付部１４ｂのリールシート５２と干渉しない位置に延出されている。この給電部３８はリール本体３２内のスプール駆動モータに外部電力源から給電するものであり、バッテリ４０が電気的に連結される。
【００２３】
このような魚釣用電動リール３０を釣竿１０のハンドル１４に取り付けるため、リール本体３２には釣竿１０のハンドル１４の長手方向に沿って前後に延びる取付脚部３０ａがその下側に配置されている。
【００２４】
釣竿１０の釣竿用ハンドル１４は、前グリップ１４ａと、魚釣用電動リール３０の取付脚部３０ａが着脱可能に取り付けられるリール取付部１４ｂと、後グリップ１４ｃとを備えている。これら前グリップ１４ａ、リール取付部１４ｂ及び後グリップ１４ｃは、例えば筒状に形成され、これらの内部に芯部材１４ｄが配設されている。上述したように、竿部１２の竿桿２２の基端は、芯部材１４ｄの先端部に配設されている。芯部材１４ｄは、前グリップ１４ａ及びリール取付部１４ｂの内部の全体に配設されているのに対して、後グリップ１４ｃはその先端側に配設されている。
【００２５】
釣竿１０の釣竿用ハンドル１４のリール取付部１４ｂは、魚釣用電動リール３０の取付脚部３０ａを介して魚釣用電動リール３０を取り付けるためのいわゆる筒状のリールシート５２からなっている。リール取付部１４ｂは取付脚部３０ａが載置される取付脚部載置面５２ａの後方に例えば一体的に形成され、取付脚部３０ａの後端部を受け入れる固定フード５４ａを配置している。また、リール取付部１４ｂは取付脚部載置面５２ａの前方に移動フード５４ｂが配設され、この移動フード５４ｂの前端にナット（移動フード５４ｂの操作部であるネジリング）５６が配設されている。ナット５６はリールシート５２に形成されたネジ部５２ｂに回転可能に螺合されている。このため、ナット５６を回転させると、移動フード５４ｂを釣竿用ハンドル１４の長手方向に沿って前後動させて取付脚部３０ａの前端部を受け入れることができる。
【００２６】
したがって、ナット５６を回転させつつ移動フード５４ｂを魚釣用電動リール３０の取付脚部３０ａの先端部を移動フード５４ｂ内に収容して後方に押し込み移動させると、魚釣用電動リール３０の取付脚部３０ａは、固定フード５４ａおよび移動フード５４ｂ間で挟持されつつ取付脚載置面５２ａ上に押圧される。これにより、魚釣用電動リール３０は、その取付脚部３０ａがリール取付部１４ｂの上面の取付脚載置面５２ａの上に載せられてリール取付部１４ｂに取り付けられる。ナット５６を逆に回転させて移動フード５４ｂを前方に移動させることにより、釣竿１０のリール取付部１４ｂ（リールシート５２）から魚釣用電動リール３０を取り外すことができる。
【００２７】
本実施形態では、このように釣竿１０に取り付けられる魚釣用電動リール３０にコード６０を介して接続されるバッテリ４０は、例えばリチウムイオン電池等により携帯可能な小型かつ軽量に形成されている。このバッテリ４０は充電により再使用可能である。
【００２８】
このバッテリ４０は、外部を樹脂製の外装部材すなわちボディ４２で覆った密閉構造を有する。図３中、左側に示す先端側には、魚釣用電動リール３０の給電部３８に対してコード６０を介して電気的に接続される接続部４４が突出した状態に配置されている。ボディ４２は、略柱状に形成され、その接続部４４に近接する側は肩部４６として形成されている。肩部４６は、略円錐台状を有し、接続部４４側に向けて先細り状になる傾斜面を有している。
【００２９】
コード６０は、その一端にリール用コネクタ６２を備え、その他端にバッテリ用コネクタ６４を備えている。なお、ここでは、リール用コネクタ６２は図２及び図３に示すように、コード６０およびリール用コネクタ６２の軸方向が給電部３８に対して真っ直ぐのストレートタイプのものが用いられる場合について説明するが、コード６０とリール用コネクタ６２との軸方向が異なる、例えばＬ型タイプなどが用いられることも好ましい。
【００３０】
図２及び図３に示すように、この実施の形態に係る後グリップ１４ｃは、例えば金属や合成樹脂（繊維強化樹脂を含む）などの硬質材料で筒状に形成され、内部にコード６０を挿通させる中空状の挿通部Ｓを有するグリップ本体７２を備えている。グリップ本体７２の先端はリール取付部１４ｂの後端に取り付けられ、芯部材１４ｄが差し込まれて固定されている。グリップ本体７２の先端側には、リール取付部１４ｂの取付脚部載置面５２ａが形成された側とは反対側（裏面側）であって、取付脚部載置面５２ａよりも後方に、先端に開口（挿通孔）７４ａを有する突部７４が一体的に形成されている。突部７４の開口７４ａはハンドル１４のリール取付部１４ｂの後方の後グリップ１４ｃに形成され、グリップ本体７２の内部に形成されたコード６０の挿通部Ｓに連通されている。突部７４の内周面の開口（挿通孔）７４ａの内側には、グリップ本体７２のコード６０の挿通部Ｓの内周面と滑らかに連続するようにグリップ本体７２の外側から内部に向かう傾斜面７４ｂが形成されている。したがって、開口（挿通孔）７４ａに挿通したコード６０は傾斜面７４ｂに誘導されて徐々にハンドル１４の中心軸Ｃに沿った方向に向きながら挿通部Ｓ内に差し込まれる。また、この傾斜面７４ｂに対向する芯部材１４ｄの端部には、コード６０を挿脱する際のガイドとなる案内面７４ｃが形成されている。
【００３１】
すなわち、開口７４ａの縁部のうち、ハンドル１４に対して前方側よりも後方側の方がハンドル１４の中心軸Ｃに対して離れた位置（外側）にある。そして、開口７４ａの縁部のうち、ハンドル１４の後端側の縁部Ｋは後グリップ１４ｃのグリップ本体７２の最外周よりも外側にあるのに対し、前端側の縁部Ｚは後グリップ１４ｃのグリップ本体７２の最外周にあり、中心軸Ｃに対して離れた位置（外側）にある。このため、開口７４ａの前端側の縁部Ｚと後端側の縁部Ｋとを結ぶ線分ＫＺに直交する線分ＫＣが開口（挿通孔）７４ａの方向であり、開口７４ａの中心軸ＫＣが、ハンドル１４の中心軸Ｃに対して直交する方向よりも中心軸Ｃに沿った方向を向いて、開口７４ａはハンドル１４に直交する方向よりもハンドル１４の前側（先端側）に向けられて形成されている。開口７４ａの中心軸ＫＣは、ハンドル１４の中心軸Ｃのできるだけ後端側（後端側の縁部Ｋよりも後端側）で交わることが好ましい。
【００３２】
ハンドル１４の外周面が中心軸Ｃから離れる方向に変移する変移部７５が突部７４の前側（ハンドル１４側）に形成され、この変移部７５に開口（挿通孔）７４ａが形成されている。
【００３３】
なお、突部７４の開口７４ａの大きさは、コード６０のリール用コネクタ６２及びバッテリ用コネクタ６４のいずれか一方または両方を通すことが可能な大きさに形成されている。このため、コード６０は後グリップ１４ｃに対して着脱（挿脱）可能である。本実施形態では、図２及び図３に示すリール用コネクタ６２及びバッテリ用コネクタ６４の両方を開口７４ａに通すことが可能である。
【００３４】
そして、突部７４の開口７４ａをグリップ１４のうち取付脚部載置面５２ａよりも後方（特に、電動リール３０の給電部３８よりも後方）に設け、コード６０のバッテリ用コネクタ６４をハンドル１４の中心軸Ｃにその軸方向が近づけられた開口７４ａを通して容易に挿通させることができる。このため、コード６０に無理な力をかけることが防止できる。このように、開口７４ａに対してコード６０を挿脱する際にコード６０の軸方向（長手方向）をハンドル１４の中心軸Ｃに対して直交する状態よりも平行に近づけて中心軸Ｃに沿った方向にしているので、コード６０を開口（挿通孔）７４ａに挿通したときの湾曲が小さくなってコード６０に大きな負荷をかけることなく出し入れ（挿脱）可能である。そして、特に、突部７４の傾斜面７４ｂ及び芯部材１４ｄの案内面７４ｃにより、コード６０を開口７４ａに対して出し入れする際に、コード６０を滑らかに移動させることができる。  
なお、グリップ１４の取付脚部載置面５２ａの反対側は魚釣用電動リール３０と共に握持するため、これより後方に開口（挿通孔）７４ａを設けると、グリップ１４を確実に握持することができる。
【００３５】
なお、後グリップ１４ｃに形成された突部７４は、後グリップ１４ｃの指掛部として使用することができる。このため、突部７４の開口７４ａにコード６０が挿通されても、後グリップ１４ｃの把持のし易さを極力維持することができる。
【００３６】
また、開口７４ａの中心軸ＫＣから離れた後端側の縁部Ｋをハンドル１４の中心軸Ｃに近い前端側の縁部Ｚよりハンドル１４の前方側になるよう配して開口７４ａの中心軸ＫＣがハンドル１４の中心軸Ｃに前方で近づく（交わる）方向となるようにして開口７４をハンドル１４に直交する方向よりもハンドル１４の前側（先端側）に向けて形成しても良い。
【００３７】
一方、グリップ本体７２の後端には、グリップ本体７２の内径よりも外径が大きいバッテリ４０を収容するためにやや拡径された拡径部７６が形成されている。この拡径部７６の後端には雄ネジ部７６ａが形成されている。この雄ネジ部７６ａには、バッテリ４０が収容されるバッテリケース７８の雌ネジ部７８ａが着脱可能に螺合される。そして、後グリップ１４ｃの拡径部７６およびバッテリケース７８は、バッテリ保持部を形成する。このため、釣竿１０のうち、釣り人が釣りの最中に直接的にバッテリ４０に触れない状態にバッテリ４０を配置することができ、バッテリ４０が邪魔にならない状態で釣りをすることができる。また、バッテリ４０を釣竿１０の後端に配置したので、釣竿１０の重心位置を釣竿１０の後端側に移動させることができる。すなわち、釣竿１０の重心を、電動リール３０とハンドル１４の後端側とに分けて配し、重量を分散させてバランスを良くできるので、釣竿１０の操作も容易に行うことができる。  
なお、拡径部７６は、バッテリ４０の肩部４６と略同じ傾斜を有し、後端側ほど開口が大きく形成されている。一方、バッテリケース７８は、バッテリ４０をハンドル１４の中心軸Ｃに沿って先端側に向かって押圧する押圧パッド（押圧部）７８ｂが配設されている。このため、バッテリケース７８にバッテリ４０が配設された状態でバッテリケース７８の雌ネジ部７８ａが拡径部７６の雄ネジ部７６ａに螺合したときには、バッテリ４０のガタツキを防止するように、バッテリ４０の肩部４６が後グリップ１４ｃの拡径部７６の内周面（度当て面）７６ｂに度当てされる。
【００３８】
そして、電動リール３０の給電部３８とバッテリ４０の接続部４４とを接続するコード６０は、後グリップ１４ｃの突部７４の開口７４ａを通して後グリップ１４ｃの後端まで延出されている。
【００３９】
なお、図４（Ａ）に示すように、突部７４の開口７４ａにはキャップ（栓体）８０が配設されることが好ましい。図４（Ｂ）に示すように、キャップ８０は、可撓性を有するゴム材や合成樹脂材等で略円柱状に形成されている。キャップ８０は、略円柱状の中心軸上に形成されコード６０が配設される取付孔８２と、このキャップ８０の外側と取付孔８２とを連通するように形成された切り欠き溝８４と、キャップ８０を突部７４の端部に引っ掛けるフランジ部８６とを備えている。図４（Ａ）に示すように、取付孔８２は、コード６０に密着する。切り欠き溝８４は、コード６０を取付孔８２に配設する際に弾性変形により開いてコード６０を取付孔８２に配置する。
【００４０】
このため、キャップ８０を突部７４の開口７４ａに配設した場合、取付孔８２の径を小さくし、かつ、切り欠き溝８４を閉塞するように作用する。このため、突部７４からハンドル１４の内部への水やゴミ等の侵入を防止することができる。
【００４１】
なお、キャップ８０を突部７４を延長するように突出させて指掛けをより大きく形成するようにしても良い。
【００４２】
次に、第２の実施の形態について図５を用いて説明する。この実施の形態は第１の実施の形態の変形例であって、第１の実施の形態で説明した部材と同一の部材には同一の符号を付し、詳しい説明を省略する。以下、第３の実施の形態から第６の実施の形態も同様である。
【００４３】
図５に示すように、ハンドル１４の後グリップ１４ｃのグリップ本体７２（リール取付部１４ｂよりも後方）には、ハンドル１４の長手方向（中心軸Ｃ）に対して直交する方向に開口９２が形成されている。この開口９２には、後グリップ１４ｃのグリップ本体７２とは別部材で突部９４が嵌合されている。この突部９４は、第１の実施の形態で説明した突部７４の変移部７５や開口７４ａや傾斜面７４ｂ（図２及び図３参照）と同様に、変移部９５と、ハンドル１４の中心軸Ｃに対して直交する方向よりもハンドル１４の前側に向けられた（中心軸の線分ＫＣを有する）開口（挿通孔）９４ａと、傾斜面９４ｂとを有する。そして、第１の実施の形態で説明した芯部材１４ｄの案内面７４ｃと同じ作用を有するように、突部９４自体に、傾斜面９４ｂに対向するように案内面９４ｃが形成されている。
【００４４】
なお、この実施形態の場合、芯部材１４ｄの基端は、第１の実施の形態と同様に案内面７４ｃが形成されていることも好適であるし、図５に示すように、中心軸Ｃに対して直交する端面が形成されていることも好適である。
【００４５】
次に、第３の実施の形態について図６及び図７を用いて説明する。この実施の形態は第１の実施の形態の変形例である。
【００４６】
図６に示すように、この実施の形態は、第１および第２の実施の形態で説明した突部７４，９４ではなく、後グリップ１４ｃのグリップ本体７２（リール取付部１４ｂよりも後方）の最外周よりも内側に凹んだ凹部１０４が形成されている。この凹部１０４には、開口（挿通孔）１０４ａが形成されている。この開口１０４ａの縁部のうち、ハンドル１４に対して前方側よりも後方側の方がハンドル１４の中心軸Ｃに対して離れた位置（外側）にある。開口１０４ａは、その縁部が先端側から基端側に向かって一旦ハンドル１４の中心軸Ｃに対して近接するように変移した後、ハンドル１４の中心軸Ｃから離れるように変移している。そして、開口１０４ａの縁部うち、ハンドル１４の後端側の縁部Ｋは後グリップ１４ｃの最外周にあるのに対し、前端側の縁部Ｚは後グリップ１４ｃの最外周よりも内側にある。すなわち、開口１０４ａには、ハンドル１４の外側面が中心軸Ｃから外方へ離れる方向に変移する変移部１０５が形成され、この変移部１０５に開口（挿通孔）１０４ａが形成されている。  
開口１０４ａの前端側の縁部Ｚと後端側の縁部Ｋとを結ぶ線分ＫＺに直交する線分ＫＣが開口（挿通孔）１０４ａの方向であり、開口１０４ａの中心軸ＫＣで、ハンドル１４の中心軸Ｃに対して直交する方向よりも中心軸Ｃに沿った方向を向いて、開口１０４ａはハンドル１４に直交する方向よりもハンドル１４の前側（先端側）に向けられて形成されている。
【００４７】
このような開口１０４ａを形成することにより、ハンドル１４の中心軸Ｃ（長手方向）に対して直交する方向の挿通孔よりもハンドル１４の長手方向に平行な状態に近接するように挿通孔を形成できる。このため、コード６０を挿脱する際に屈曲等させずにスムーズに挿脱させることができる。また、第１の実施の形態で説明した突部７４（図２及び図３参照）のような出っ張りがないので、ハンドル１４を小さく保つことができる。  
このように開口１０４ａの一部がハンドル１４の中心軸Ｃに対して直交する方向よりもハンドル１４の前側に向けられていても良い。
【００４８】
次に、第４の実施の形態について図８を用いて説明する。この実施の形態は第１の実施の形態の変形例である。本実施形態は、後グリップ１４ｃではなく、リール取付部１４ｂに突部１１４が設けられた例である。
【００４９】
図８に示すように、リール取付部１４ｂのうち固定フード５４ａの反対側（裏面側）のリール取付部１４ｂの後端には、変移部１１５に開口（挿通孔）１１４ａを有する突部１１４が例えば一体的に形成されている。突部１１４が形成された部分の後端は、後グリップ１４ｃの内径よりも小さい外径を有する嵌合部１１６が形成されている。このため、リール取付部１４ｂの嵌合部１１６で後グリップ１４ｂの先端に嵌合されている。
【００５０】
突部１１４の内周面には、傾斜面１１４ｂが形成されている。このため、バッテリ用コネクタ６４を突部１１４の開口１１４ａを通してリール取付部１４ｂ及び後グリップ１４ｃの内側に出し入れする際に容易に行うことができる。
【００５１】
突部１１４及び開口１１４ａはリール取付部１４ｂに設けたが、取付脚部載置面５２ａよりも後方側にあるため、グリップ１４の握持は容易に行える。また、第１から第３の実施の形態で説明したのと同様に開口１１４ａの縁部Ｋ，Ｚ及び線分ＫＺによって規定される開口１１４ａの中心軸ＫＣがハンドル１４の中心軸Ｃに直交する方向よりも中心軸Ｃに沿った方向を向いて開口１１４ａがハンドル１４の前側に向けて形成されている。
【００５２】
なお、本実施形態では、突部１１４を設けた例について説明したが、第３の実施の形態で説明した凹部１０４（図６参照）を設けることも好適である。また、この実施形態では、芯部材１４ｄの後端をハンドル１４の中心軸Ｃに対して直交する面として形成する場合について図示したが、第１の実施の形態で説明した案内面７４ｃ（図２及び図３参照）と同様に形成されていることも好適である。
【００５３】
次に、第５の実施の形態について図９及び図１０を用いて説明する。この実施の形態は第１の実施の形態の変形例である。  
この実施の形態は、図９及び図１０に示すように、開口（挿通孔）１２４ａを有する突部１２４が取付脚部載置面５２ａの反対側ではなく、取付脚部載置面５２ａに対して１／４周ずれた位置に形成された例である。突部１２４の構造は第１の実施の形態で説明した突部７４（図２及び図３参照）と同様である。このため、第１の実施の形態で説明したように開口１２４ａの縁部Ｋ，Ｚ、線分ＫＺおよび中心軸ＫＣが規定され、第１の実施の形態で説明した作用及び効果と同様の作用及び効果が得られる。
【００５４】
なお、突部１２４の位置は、第１の実施の形態および第５の実施の形態で説明した位置に限られない。すなわち、第５の実施の形態で説明した位置よりも上側（電動リール３０が配設される側）や下側（第１の実施の形態で説明した突部７４に近接した位置）にあることも許容される。
【００５５】
また、突部１２４の代わりに第３の実施の形態で説明した凹部１０４（図６参照）を設けることも好適であるし、第４の実施の形態で説明したようにリール取付部１４ｂに突部１１４を設けることも好適である。
【００５６】
次に、第６の実施の形態について図１１を用いて説明する。この実施の形態は第１の実施の形態の変形例である。特に、本実施形態は、ハンドル１４の後端でバッテリ４０の保持する際の変形例である。
【００５７】
ここでは、図１１に示すように、本実施形態は、バッテリ４０のボディ４２を保持するのにバッテリケース７８（図１から図３、図５から図１０参照）を用いない。  
図１１に示すように、拡径部７６には、雄ネジ部７６ａが形成されていない。その代わりに、拡径部７６の後端の内周面には、例えばＯリング等のシール材７６ｃが配設されている。このシール材７６ｃは、弾性材料で形成され、シール材７６ｃの内径はバッテリ４０のボディ４２の外径よりもやや小さく形成されている。このため、バッテリ４０のボディ４２を拡径部７６の内側に配設するときには、シール材７６ｃを弾性変形させてバッテリ４０のボディ４２の外周面に密着させる。このようにして、バッテリ４０をハンドル１４の後グリップ１４ｃの後端に保持することができる。すなわち、後グリップ１４ｃの後端の拡径部７６およびシール材７６ｃは、バッテリ保持部を形成する。なお、シール材７６ｃの作用によって、バッテリ４０が拡径部７６の後端に配設された状態でハンドル１４内に水やゴミ等が侵入するのを防止できる。
【００５８】
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００５９】
１２…竿桿、１４…ハンドル、１３ａ…嵌合突起、１３ｂ…嵌合孔、１４ａ…前グリップ、１４ｂ…リール取付部、１４ｃ…後グリップ、１４ｄ…芯部材、３０…電動リール、３０ａ…取付脚部、３２…リール本体、３２ａ…制御部、３４…側板、３６…調節ネジ、３８…給電部、４０…バッテリ、４２…ボディ、４６…肩部、５２…リールシート、５２ａ…取付脚部載置面、５２ｂ…ネジ部、５４ａ…固定フード、５４ｂ…移動フード、５６…ナット、６０…コード、６２…リール用コネクタ、６４…バッテリ用コネクタ、７２…グリップ本体、７４…突部、７４ａ…開口（挿通孔）、７４ｂ…傾斜面、７４ｃ…案内面、７６…拡径部、７８…バッテリケース、７８ｂ…押圧パッド。
【図１】
2010029176.tif 000003
【図２】
2010029176.tif 000004
【図３】
2010029176.tif 000005
【図４】
2010029176.tif 000006
【図５】
2010029176.tif 000007
【図６】
2010029176.tif 000008
【図７】
2010029176.tif 000009
【図８】
2010029176.tif 000010
【図９】
2010029176.tif 000011
【図１０】
2010029176.tif 000012
【図１１】
2010029176.tif 000013